(57)【特許請求の範囲】
【請求項１】
ａ．浴室１１から延長された換気ダクト９の上流側９ａ及びトイレ１３から延長された換気管１３ｂを１ヶの換気ファン１０から成る換気システム８に結び、脱衣室１２から延長された換気管１２ｂの先を前記換気ダクト９の上流側９ａにそれぞれ結んだこと、
ｂ．前記換気システム８からは、屋外に向けて換気ダクト９の下流側９ｂを延長して設けたこと、
ｃ．衣類乾燥機１の排湿筒６の先を前記換気システム８に結んだこと、
ｄ．前記換気システム８に対する前記浴室１１からの換気ダクト９の上流側９ａ及びトイレ１３からの換気管１３ｂ及び衣類乾燥機１からの排湿筒６の結びの部分には、それぞれシャッター１４、１５、１６を設けたこと、
ｅ．上記換気システム８には、逆流防止手段１７を設け、この逆流防止手段１７は、
１．衣類乾燥機１が単独運転の時は、シャッター１４、１５を閉じ、シャッター１６ を開き、換気ファン１０を駆動する、
２．次に、衣類乾燥機１が停止していて、浴室１１、脱衣室１２、トイレ１３の換気 を同時に行う場合は、シャッター１４、１５を開き、シャッター１６を閉じる、
３．次に、衣類乾燥機１の運転及び浴室１１、脱衣室１２、トイレ１３からの換気を 同時に行う場合には、シャッター１４、１５、１６を開き、換気ファン１０の風量を アップするか、衣類乾燥機１側に内蔵されている排湿ファン５の風量をダウンするこ とにより、浴室１１、脱衣室１２、トイレ１３側に衣類乾燥機１からの排湿が逆流す るのを防ぐための制御を行うこと、
ｆ．を特徴とする衣類乾燥機の排湿装置。
【発明の詳細な説明】
【０００１】
【発明の属する技術分野】
本発明は、衣類乾燥機において、専用の排湿筒を取り付けないで済む衣類乾燥機の排湿装置に関する。
【０００２】
【従来の技術】
従来の衣類乾燥機には、専用の排湿筒を設置する方式（ガス燃焼式及び温水式の場合）と、機内で湿気を凝縮させる方式（電気式の場合）があり、乾燥時間を短縮するためには、専用の排湿筒を設置する方式が適している。
【０００３】
図４はガス燃焼式の衣類乾燥機を示すもので、この衣類乾燥機２０は、ガスバーナ２１で発生した熱風を熱風吹込口２２からドラム２３内に吹き込んでドラム２３内の衣類２４を乾燥し、この乾燥により発生した湿気はファン２５によりドラム２３内から吸引して排湿筒２６を経由して屋外に排出する構成となっている。
【０００４】
図５は電気式の衣類乾燥機を示すもので、この衣類乾燥機３０は、熱交換器３１で発生した熱風をドラム３２内に吹き込んで衣類３３を乾燥し、衣類３３から発生した湿気はドラム３２の外を経由する間に凝縮してドレン管３４から機外に排出し、ドラム３２内の排気は排気口３５から原則として室内に排出する構成となっている。
【０００５】
【発明が解決しようとする課題】
しかし、上記２例において、ガス燃焼式の衣類乾燥機２０の場合は、排湿中に燃焼排ガスが混入していることから、そのまま室内に排出することができないため、専用の排湿筒を施工する必要があり、設置コストが高くつく。又、建物の関係で専用の排湿筒を施工できない場合もある。このような問題は、温水式の場合も同様である。
【０００６】
一方、電気式の衣類乾燥機においては、熱量が小さいため、乾燥に時間がかかるという問題がある。又、この乾燥時間の短縮のために専用の排湿筒を設置するようにすると、上記ガス燃焼式や温水式と同様の問題が発生することになる。
【０００７】
本発明の目的は、ガス燃焼式、温水式、電気式の衣類乾燥機において、排湿筒を必要とした場合に、専用の排湿筒を施工しないで済むように構成して施工費を安く抑え、併せて建物の条件等により専用の排湿筒が施工できないような場合でも屋外に排湿が可能な排湿装置を提供することである。
【０００８】
【課題を解決するための手段】
上記目的を達成するため、請求項１に記載の発明においては、衣類乾燥機の排湿装置において、ａ．浴室１１から延長された換気ダクト９の上流側９ａ及びトイレ１３から延長された換気管１３ｂを１ヶの換気ファン１０から成る換気システム８に結び、脱衣室１２から延長された換気管１２ｂの先を前記換気ダクト９の上流側９ａにそれぞれ結んだこと、
ｂ．前記換気システム８からは、屋外に向けて換気ダクト９の下流側９ｂを延長して設けたこと、
ｃ．衣類乾燥機１の排湿筒６の先を前記換気システム８に結んだこと、
ｄ．前記換気システム８に対する前記浴室１１からの換気ダクト９の上流側９ａ及びトイレ１３からの換気管１３ｂ及び衣類乾燥機１からの排湿筒６の結びの部分には、それぞれシャッター１４、１５、１６を設けたこと、
ｅ．上記換気システム８には、逆流防止手段１７を設け、この逆流防止手段１７は、
１．衣類乾燥機１が単独運転の時は、シャッター１４、１５を閉じ、シャッター１６ を開き、換気ファン１０を駆動する、
２．次に、衣類乾燥機１が停止していて、浴室１１、脱衣室１２、トイレ１３の換気 を同時に行う場合は、シャッター１４、１５を開き、シャッター１６を閉じる、
３．次に、衣類乾燥機１の運転及び浴室１１、脱衣室１２、トイレ１３からの換気を 同時に行う場合には、シャッター１４、１５、１６を開き、換気ファン１０の風量を アップするか、衣類乾燥機１側に内蔵されている排湿ファン５の風量をダウンするこ とにより、浴室１１、脱衣室１２、トイレ１３側に衣類乾燥機１からの排湿が逆流す るのを防ぐための制御を行うこと、
ｆ．を特徴とするものである。
【０００９】
【作用】
衣類乾燥機からの排湿は、換気システムを経由して屋外に排出される。この排湿時に、換気システムが同時に運転している時は、逆流防止手段が浴室、脱衣室、トイレ側に排湿が逆流するのを防止する。或いは、換気が衣類乾燥機内に逆流するのを防止する。
【００１０】
【発明の実施の形態】
本発明が適用される衣類乾燥機は、温水式が最適であるが、ガス燃焼式あるいは電気式のものにも適用できる。換気システムは、集合住宅の場合、１つの換気ファンにより浴室、脱衣室、トイレを同時に換気するシステムが主流となっているため、この換気システムに組み合わせた場合に最も有効である。又、本発明は、新築の場合は勿論のこと、既築の住宅において、既設の換気システムに組み合わせて施工することも可能である。
【００１１】
衣類乾燥機からの排湿が浴室等に逆流してはならないし、浴室等からの換気が衣類乾燥機側に逆流してもならないので、この逆流防止手段を設ける必要がある。この逆流防止手段は、衣類乾燥機と換気システムの運転状況を監視していて、自動的に制御するようにする。
【００１２】
【実施例１】
本願発明の実施例を図１及び図２に基づいて詳細に説明する。
先ず、図１は温水式の衣類乾燥機を示すもので、この衣類乾燥機１は内部に温水循環配管３を介して循環する温水熱により空気を温めてドラム２内に熱風を吹き込む温水式熱交換器４及びドラム２内の排湿を吸引して排湿筒６から排出を行う排湿ファン５から成っている。
【００１３】
図２は、上記衣類乾燥機１の排湿筒６の先を換気システム８の換気ダクト９において、換気ファン１０の上流側９ａに結んだ状態の説明図であって、この換気システム８は、換気ダクト９の一部に換気ファン１０を組み込み、浴室１１の換気口１１ａと換気ダクト９とは換気管１１ｂを介して結ばれ、脱衣室１２の換気口１２ａとは換気管１２ｂを介して結ばれ、トイレ１３の換気口１３ａとは換気管１３ｂとで結ばれている。
【００１４】
１４は浴室１１の換気管１１ｂと脱衣室１２の換気管１２ｂが合流して換気ファン１０に結ばれる直前（上流側９ａ）に取り付けられたシャッター、１５はトイレ１３の換気管１３ｂに取り付けられたシャッター、１６は衣類乾燥機１の排湿筒６に取り付けられたシャッター、１７は上記衣類乾燥機１（排湿ファン５）及び換気システム８（換気ファン１０）の運転状況を検出し、併せて逆流を防止するために、シャッター１４，１５，１６を制御する逆流防止手段（制御回路）である。
【００１５】
上記構成の排湿及び換気システムにおいて、その運転例を説明する。
１．衣類乾燥機１の単独運転
このときは、逆流防止手段１７は、シャッター１４，１５を閉じ、シャッター１６を  開き、排湿ファン５で加圧された衣類乾燥機１からの排湿を換気ダクト９の上流側９ａ  →換気ファン１０→換気ダクト下流側９ｂを介して屋外に排出し、排湿が浴室１１、脱  衣室１２、トイレ１３側に逆流するのを防ぐ。
２．換気システム８の単独運転
このときは、逆流防止手段１７は、シャッター１６を閉じ、シャッター１４，１５を  開き、換気ファン１０を駆動して浴室１１、脱衣室１２、トイレ１３からの換気を行    い、この換気が衣類乾燥機１側に逆流するのを防ぐ。
３．衣類乾燥機１、換気システム８の同時運転
このときは、逆流防止手段１７は、シャッター１４，１５，１６を開き、換気ファン  １０の風量をアップするか、衣類乾燥機１側の排湿ファン５の風量をダウンして浴室    １１、脱衣室１２、トイレ１３側に衣類乾燥機１からの排湿が逆流するのを防ぐ。
【００１６】
なお、シャッター１４，１５，１６は、上記実施例においては、排湿筒６及び換気管１１ｂ，１２ｂ，１３ｂに夫々に取り付けられているが、必ずしもこれらの位置に取り付ける必要はなく、例えば換気口１１ａ，１２ａ，１３ａに取り付けてもよい。又、上記実施例は、すべてシャッターを用いて逆流を防止しているが、換気ファン１０から以降の換気ダクト９（下流側９ｂ）の口径を換気システムとしての設計基準よりも大きく設定し、圧損をより小さくすることにより、排湿あるいは換気が夫々逆流するのを防止するようにしてもよい。
【００１７】
［参考例］
本参考例は、図３に示すように、実施例１（図１，図２）との違いは、衣類乾燥機１の排湿筒６の先を換気ファン１０を境として換気ダクト９の下流側９ｂに結んだことと、換気ダクト９において換気ファン１０と前記排湿筒６の先が結ばれた間にシャッター１４に代えてシャッター１８を取り付けたことと、シャッター１４，１５を廃止したことと、逆流防止手段１７の制御例である。したがって、図１，図２と同一の符号は同一のものを指しているので、ここでの説明は省略し、運転例についてのみ説明する。
【００１８】
１．衣類乾燥機１の単独運転
このときは、逆流防止手段１７は、シャッター１８を閉じ、シャッター１６を開き    、衣類乾燥機１からの排湿が浴室１１、脱衣室１２、トイレ１３側に逆流するのを防    ぐ。
２．換気システム８の単独運転
このときは、逆流防止手段１７は、シャッター１６を閉じ、シャッター１８を開き    、換気が衣類乾燥機１側に逆流するのを防ぐ。
３．衣類乾燥機１、換気システム８の同時運転
このときは、逆流防止手段１７は、シャッター１６，１８を開き、換気ファン９の    風量をアップするか、排湿ファン５の風量をダウンして衣類乾燥機１側からの排湿が    浴室１１、脱衣室１２、トイレ１３側に逆流するのを防ぐ。又は、シャッター１６，    １８を廃止し、換気ダクト９において、換気ファン１０より下流側９ｂの口径を換気    システム単独の場合の設計よりも大きく設計して圧損が小さくなるようにして排湿あ    るいは換気が逆流するのを防止する。
【００１９】
なお、実施例１及び参考例における逆流防止手段１７による制御は、衣類乾燥機１及び換気システムのＯＮ，ＯＦＦをセンサにより検出しながら全て自動で行われる。
【００２０】
【発明の効果】
本発明は以上のように、衣類乾燥機の排湿を換気システムを利用して行うようにしたことにより、次の効果を奏する。
１．衣類乾燥機について、専用の排湿筒を設置する必要がなくなり、設備費が安くなる。２．専用の排湿筒を施工する時のような制約がなくなる。このため、特に、後から衣類乾
燥機を設置する場合に有効である。
３．排湿あるいは換気の逆流を防止しているため、相互に悪影響が発生しない。
【図面の簡単な説明】
【図１】  温水式の衣類乾燥機の説明図。
【図２】  実施例１の説明図。
【図３】  参考例の説明図。
【図４】  従来の温水式衣類乾燥機の説明図
【図５】  従来の電気式衣類乾燥機の説明図
【符号の説明】
１  衣類乾燥機
２  ドラム
３  温水循環配管
４  温水式熱交換器
５  排湿ファン
６  排湿筒
８  換気システム
９  換気ダクト
１０  換気ファン
１１  浴室
１１ａ，１２ａ，１３ａ  換気口
１１ｂ，１２ｂ，１３ｂ  換気管
１２  脱衣室
１３  トイレ
１４，１５，１６  シャッター
１７  逆流防止手段
１８  シャッター
【図１】
0003998112.tif 000002
【図２】
0003998112.tif 000003
【図３】
0003998112.tif 000004
【図４】
0003998112.tif 000005
【図５】
0003998112.tif 000006